(57)【要約】【課題】  小信号レベルから大信号レベルまでの広い範囲にわたって良好な受信性能が得られる電波受信装置を提供する。【解決手段】  受信回路１２は、ｎ個（ｎは２以上の整数）の前置増幅部２５〜２７を備える。制御部２４は、入力信号レベルを検出する検出手段（２４ａ）、該検出手段の検出結果に従って前記ｎ個の前置増幅部のいずれを入力信号の増幅に用いるかを判定し前記ｎ個の前置増幅部の動作を制御する制御手段（２４ｄ）の機能を備える。前記ｎ個の前置増幅部２５〜２７は、各々入力信号レベルに対して異なるＮＦ特性が得られるように設計されたものであり、且つ、前記制御手段は、前記検出手段で検出された入力信号レベルに対応して最も低ＮＦ特性を発揮する一つの前置増幅部を、入力信号の増幅用として動作させるものである。【選択図】  図２
2005142625.tif 000002
【特許請求の範囲】
【請求項１】
１つのアンテナで受信した入力信号を増幅するための複数の前置増幅部から構成された前置増幅手段と、
前記入力信号のレベルの大きさを検出する検出手段と、
前記検出手段で検出された入力信号のレベルの大きさに応じて前置増幅部を選択し、該選択された前置増幅部を用いて前記入力信号の増幅を行う増幅制御手段と、
を備えたことを特徴とする電波受信装置。
【請求項２】
前記複数の前置増幅部から構成された前置増幅手段は、各々入力信号のレベルに対して異なる雑音指数特性が得られるように設計されたものであり、
且つ、前記増幅制御手段は、前記検出手段で検出された入力信号レベルに対応して最も低い雑音指数特性を発揮する一つの前置増幅部を、入力信号の増幅用として動作させることを特徴とする請求項１記載の電波受信装置。
【請求項３】
前記増幅制御手段は、前記一つの前置増幅部を入力信号の増幅用として動作させるタイミングを、前記入力信号の無信号期間に合わせることを特徴とする請求項１記載の電波受信装置。
【請求項４】
前記増幅制御手段は、前記複数の前置増幅部に実装されたＡＧＣ部への制御信号をコントロールすることにより、一つの前置増幅部を入力信号の増幅用として動作させることを特徴とする請求項１記載の電波受信装置。
【請求項５】
１つのアンテナで受信した入力信号を増幅するための複数の前置増幅部から構成された前置増幅工程と、
前記入力信号のレベルの大きさを検出する検出工程と、
前記検出工程で検出された入力信号のレベルの大きさに応じて前置増幅部を選択し、該選択された前置増幅部を用いて前記入力信号の増幅を行う増幅制御工程と、
を含むことを特徴とする電波受信方法。
【請求項６】
前記複数の前置増幅部から構成された前置増幅工程は、各々入力信号のレベルに対して異なる雑音指数特性が得られるように設計されたものであり、
且つ、前記増幅制御工程は、前記検出工程で検出された入力信号レベルに対応して最も低い雑音指数特性を発揮する一つの前置増幅部を、入力信号の増幅用として動作させることを特徴とする請求項１記載の電波受信方法。
【発明の詳細な説明】
【技術分野】
【０００１】
本発明は、電波受信装置及び電波受信方法に関し、特に、小信号レベルから大信号レベルまでの広い範囲にわたって良好な受信性能が得られる電波受信装置及び電波受信方法に関する。
【背景技術】
【０００２】
図７は、従来の電波受信装置における受信回路１の構成図である。アンテナ２で受信された入力信号は、ＬＮＡ１ａで増幅され、ＡＧＣ部１ｂで利得制御を受けた後、第一ＢＰＦ１ｃで不要帯域成分の除去が行われる。そして、第一混合部１ｄで、第一局発部１ｅからの受信チャンネルに対応した周波数を持つ第一局発信号と混合され、第一中間周波信号に変換される。この第一中間周波信号は、第二ＢＰＦ１ｆとＡＧＣ部１ｇによって帯域制限と利得制御が行われた後、第二混合部１ｈで、第二局発部１ｉからの第二局発信号と混合されて第二中間周波信号に変換され、ＬＰＦ１ｊで低域ろ波された後、復調ＬＳＩ部のＡ／Ｄ変換部３に入力される。
【０００３】
このような構成の受信回路１を、たとえば、地上波デジタル放送の受信機に適用する場合、同放送の信号レベルは広いダイナミックレンジを持つため、その広いダイナミックレンジの全域にわたって良好な受信性能、とりわけ、適切なＮＦ（雑音指数）値を維持しなければならない。
【０００４】
図８は、受信回路１の出力（ＬＰＦ１ｊの出力）におけるＮＦ特性例を示す図である。この図において、縦軸はＮＦ、横軸は入力信号レベルを表している。今、入力信号レベルを“小”、“中”、“大”の三つに区分し、それぞれを小レベル範囲Ｓ、中レベル範囲Ｍ、大レベル範囲Ｌとし、中レベル範囲ＭのＮＦを最適化したとすると、小レベル範囲Ｓと大レベル範囲Ｌの双方でＮＦが悪化している。
【０００５】
小レベル範囲ＳのＮＦ悪化の原因は、ＡＧＣ部１ｂ、１ｇ等によって信号レベルの増幅利得を上げる際に、雑音レベルも一緒に大きくなってしまうからである。また、大レベル範囲ＬのＮＦ悪化の原因は、信号レベルを減衰させる際に発生する熱雑音がその減衰量に対応して増えるからである。ちなみに、信号レベルを減衰させる理由は、第一混合部１ｄ等で必要とする信号レベルに上限があるため、その上限を超えないようにＬＮＡ１ａやＡＧＣ部１ｂで抵抗分圧等の手法によって過大な信号レベルを抑制する必要があるからである。
【０００６】
ここで、フェージングなどの受信障害対策としてよく用いられるダイバーシティは、複数のアンテナで受信された受信信号のうち最も受信状態のよい信号を受信したアンテナを選択するというものである（たとえば、特許文献１参照）。
【０００７】
【特許文献１】特開２００１−２８５１５６
【発明の開示】
【発明が解決しようとする課題】
【０００８】
しかしながら、上記のダイバーシティは、複数のアンテナを必要とする上、それらのアンテナで受信された受信信号のうち最も受信状態のよい信号を受信したアンテナを選択するというものであり、広いダイナミックレンジの全域にわたって良好な受信性能が得られない。すなわち、ダイバーシティの受信回路は１個であるので、上記のように、中レベル範囲ＭのＮＦを最適化したとすると、小レベル範囲Ｓと大レベル範囲Ｌの双方でＮＦが悪化するからである。
【０００９】
そこで、本発明の目的は、小信号レベルから大信号レベルまでの広い範囲にわたって良好な受信性能が得られる電波受信装置及び電波受信方法を提供することにある。
【課題を解決するための手段】
【００１０】
請求項１記載の発明に係る電波受信装置（図１の受信回路１２）は、１つのアンテナ（図１のアンテナ１１）で受信した入力信号を増幅するための複数の前置増幅部から構成された前置増幅手段（図２の前置増幅部２５〜２７）と、前記入力信号のレベルの大きさを検出する検出手段（図１の制御部２４、図４の信号積分部２４ａ）と、前記検出手段で検出された入力信号のレベルの大きさに応じて前置増幅部を選択し、該選択された前置増幅部を用いて前記入力信号の増幅を行う増幅制御手段（図１の制御部２４、図４の制御信号発生部２４ｄ）とを備えたことを特徴とする。
請求項２記載の発明に係る受信回路は、請求項１記載の発明に係る電波受信装置において、前記複数の前置増幅部から構成された前置増幅手段は、各々入力信号のレベルに対して異なる雑音指数特性が得られるように設計されたものであり、且つ、前記増幅制御手段は、前記検出手段で検出された入力信号レベルに対応して最も低い雑音指数特性を発揮する一つの前置増幅部を、入力信号の増幅用として動作させることを特徴とする。
請求項５記載の発明に係る電波受信方法は、１つのアンテナ（図１のアンテナ１１）で受信した入力信号を増幅するための複数の前置増幅部から構成された前置増幅工程（図２の前置増幅部２５〜２７）と、前記入力信号のレベルの大きさを検出する検出工程（図１の制御部２４、図４の信号積分部２４ａ）と、前記検出工程で検出された入力信号のレベルの大きさに応じて前置増幅部を選択し、該選択された前置増幅部を用いて前記入力信号の増幅を行う増幅制御工程（図１の制御部２４、図４の制御信号発生部２４ｄ）とを含むことを特徴とする。
請求項６記載の発明に係る電波受信方法は、請求項５記載の発明に係る電波受信方法において、前記複数の前置増幅部から構成された前置増幅工程は、各々入力信号のレベルに対して異なる雑音指数特性が得られるように設計されたものであり、且つ、前記増幅制御工程は、前記検出工程で検出された入力信号レベルに対応して最も低い雑音指数特性を発揮する一つの前置増幅部を、入力信号の増幅用として動作させることを特徴とする。
請求項１、２及び請求項５，６における発明では、アンテナで受信した入力信号レベルに対応して最も低ＮＦ特性を発揮する一つの前置増幅部が、入力信号の増幅用として選択されて動作するようにしたので、“小〜中〜大”の広い信号レベルの全域にわたって良好な雑音指数（ＮＦ）が得られる。
請求項３記載の発明に係る電波受信装置は、請求項１記載の電波受信装置において、前記増幅制御手段は、前記一つの前置増幅部を入力信号の増幅用として動作させるタイミングを、前記入力信号の無信号期間に合わせることを特徴とする。
請求項３における発明では、入力信号の無信号期間（たとえば、ＯＦＤＭ信号のガードインターバル）で前置増幅部の動作切り替えが行われる。
請求項４記載の発明に係る電波受信装置は、請求項１記載の電波受信装置において、前記増幅制御手段は、前記複数の前置増幅部に実装されたＡＧＣ部（図２のＡＧＣ部２５ｂ、２６ｂ、２７ｂ）への制御信号をコントロールすることにより、一つの前置増幅部を入力信号の増幅用として動作させることを特徴とする。
【発明の効果】
【００１１】
請求項１又は請求項２記載の発明によれば、複数の前置増幅部のうち、そのときの入力信号レベルに対応して最も低ＮＦ特性を発揮する一つの前置増幅部を選択して入力信号の増幅が行われるので、広い信号レベルの全域にわたって良好な雑音指数を得ることができる。
請求項３記載の発明によれば、入力信号の無信号期間で前置増幅部の動作切り替えが行われるので、前置増幅部の切り換えに伴って発生する切り替えノイズ等の影響を受けない。
請求項４記載の発明によれば、複数の前置増幅部に実装されたＡＧＣ部への制御信号をコントロールすることにより、一つの前置増幅部が入力信号の増幅用として動作する。したがって、特にＡＧＣ部を有するように設計された既存の前置増幅部に用いて好適であり、この場合、大幅な改修を要しない。
【発明を実施するための最良の形態】
【００１２】
以下、本発明の実施例を、地上波デジタル放送の受信機（たとえば、テレビ受信機等）への適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１３】
＜地上波デジタル放送の受信機の構成＞
図１は、地上波デジタル放送のテレビ受信機の概念的なブロック構成図である。この図において、テレビ受信機１０は、アンテナ１１、受信回路１２、Ａ／Ｄ変換部１３、直交復調部１４、ＦＦＴ部１５、波形等価部１６、デマッピング部１７、エラー訂正部１８、ＭＰＥＧ復号部１９、映像音声分離部２０、映像復号部２１及び音声復号部２２などで構成されている。
【００１４】
不図示の放送局から送出された地上波デジタル放送信号は、アンテナ１１で受信され、ＲＦ（高周波）信号として、本実施形態の特徴的構成を含む受信回路１２に供給される。ＲＦ信号は受信回路１２で所定のＩＦ（中間周波）信号に変換された後、Ａ／Ｄ変換部１３でデジタル信号に変換される。このデジタル信号は、直交復調部１４に送られ、この直交復調部１４で所定周波数のキャリア信号を用いて直交復調され、ベースバンドのＯＦＤＭ信号に再生される。このＯＦＤＭ信号はＦＦＴ演算前のシンボル領域信号（ＯＦＤＭシンボル領域信号）であり、直交復調を受けたことによって、実軸成分（Ｉチャンネル信号）と虚軸成分（Ｑチャンネル信号）とを含む複素信号になっている。
【００１５】
ＯＦＤＭシンボル領域信号はＦＦＴ部１５に送られ、このＦＦＴ部１５でキャリア領域信号（ＯＦＤＭキャリア領域信号）に変換される。ＦＦＴ部１５は、各キャリアに直交変調されているデータを抽出して出力するものであり、具体的には、ＦＦＴ部１５は、一つの伝送シンボルから有効シンボル長の範囲、すなわち、一つのＯＦＤＭの伝送シンボル期間からガードインターバル分を除いた範囲（たとえば、２０４８サンプル）を抜き出し、この範囲のＯＦＤＭシンボル領域信号に対してＦＦＴ演算を行う。このように、ＦＦＴ部１５から出力されたＯＦＤＭキャリア領域信号も、上記のＯＦＤＭシンボル領域信号と同様に、実軸成分（Ｉチャンネル信号）と虚軸成分（Ｑチャンネル信号）とを含む複素信号になっている。
【００１６】
ＯＦＤＭシンボル領域信号は、波形等価部１６によってキャリアごとの波形等価（振幅等価及び位相等価）処理を受けた後、伝送方式（たとえば、１６ＱＡＭ）に対応したデマッピングを行うデマッピング部１７、ビタビ復号やリードソロモン符号等のエラー訂正を行うエラー訂正部１８、エラー訂正後の信号をＭＰＥＧ伸張するＭＰＥＧ復号部１９、ＭＰＥＧ伸張後の信号から映像信号と音声信号を分離する映像音声分離部２０、映像信号の復号処理を行う映像復号部２１及び音声信号の復号処理を行う音声復号部２２などを経て、不図示の映像音声再生部（あるいは録画録音部）に出力される。
【００１７】
＜受信回路の構成＞
図２は、本実施形態における受信回路１２のブロック図である。受信回路１２は、複数（例えば、３個）の前置増幅部２５〜２７、第一ＢＰＦ（バンドパスフィルタ）２８、第一混合部２９、第一局発部３０、第二ＢＰＦ３１、ＡＧＣ部３２、第二混合部３３、第二局発部３４、ＬＰＦ（ローパスフィルタ）３５を含んで構成されている。
【００１８】
３個の前置増幅部２５〜２７は、特に限定しないが、それぞれローノイズアンプ（ＬＮＡ）とＡＧＣ部とを含んで構成されている。すなわち、上段の前置増幅部２５はＬＮＡ２５ａとＡＧＣ部２５ｂ、中段の前置増幅部２６はＬＮＡ２６ａとＡＧＣ部２６ｂ、下段の前置増幅部２７はＬＮＡ２７ａとＡＧＣ部２７ｂとを含んでそれぞれ構成されている。
【００１９】
アンテナ１１で受信された入力信号は、複数の前置増幅部２５〜２７のいずれかで増幅され、第一ＢＰＦ２８で不要帯域成分の除去が行われる。そして、第一混合部２９で、第一局発部３０からの受信チャンネルに対応した周波数を持つ第一局発信号と混合され、第一中間周波信号に変換される。この第一中間周波信号は、第二ＢＰＦ３１とＡＧＣ部３２によって帯域制限と利得制御が行われた後、第二混合部３３で、第二局発部３４からの第二局発信号と混合されて第二中間周波信号に変換され、ＬＰＦ３５で低域ろ波された後Ａ／Ｄ変換部１３に入力される。
【００２０】
制御部２４は、Ａ／Ｄ変換部１３の変換出力をモニターして、入力信号レベルの大きさを複数の領域（たとえば、大信号レベル、中信号レベル、小信号レベル）に区分するとともに、各区分ごとの制御信号を発生して、複数の前置増幅部２５〜２７のいずれを増幅に供させる。
【００２１】
図３は、３個の前置増幅部２５〜２７の各々のＮＦ（Noise Figure）特性図である。
ここでＮＦ（Noise Figure）は、入力信号のSN比（Signal to Noise ratio：信号と雑音との比）と出力信号のSN比とを比較した素子の雑音特性を表すものである。
特性図の縦軸はＮＦの大きさ、横軸は入力信号レベルを表している。図中の破線で示す特性線イや、一点差線で示す特性線ロ、及び二点差線で示す特性線ハは、それぞれの前置増幅部２５〜２７の個別ＮＦ特性を表している。たとえば、特性線イは上段の前置増幅部２５のＮＦ特性線であり、特性線ロは中段の前置増幅部２６のＮＦ特性線であり、特性線ハは下段の前置増幅部２７のＮＦ特性線である。
【００２２】
これら三つの特性線イ〜ハの特異な点は、横軸（入力信号レベル）に沿って、重なり合わないように、言い換えれば位置をずらして設定されていることにある。すなわち、特性線イは、その最小ＮＦ範囲が小入力信号レベルの領域に合致させられており、また、特性線ロは、その最小ＮＦ範囲が中入力信号レベルの領域に合致させられており、さらに、特性線ハは、その最小ＮＦ範囲が大入力信号レベルの領域に合致させられている点で相違する。
【００２３】
このような特性線イ〜ハは、前置増幅部２５〜２７を構成する各々のＬＮＡ２５ａ〜２７ａの特性を異ならせることによって任意に得ることができる。本発明の「ＮＦ特性＝雑音指数特性」は、これらの特性線イ〜ハ及びこれらの特性線イ〜ハの合成特性線ニのことをいう。以下、必要に応じて、特性線イを与えられた前置増幅部２５のことを「小入力信号対応前置増幅部２５」といい、特性線ロを与えられた前置増幅部２６のことを「中入力信号対応前置増幅部２６」といい、さらに、特性線ハを与えられた前置増幅部２７のことを「大入力信号対応前置増幅部２７」ということにする。
【００２４】
なお、この特性図において、実線で示される合成特性線ニや、二つのしきい値（ＳＬａ、ＳＬｂ）については、後で詳しく説明する。
【００２５】
この受信回路１２において、アンテナ１１から入力されたＲＦ信号は、３個の前置増幅部２５〜２７のいずれかを用いて増幅される。どの前置増幅部２５〜２７が用いられるかは、制御部２４から出力されるＡＧＣ制御信号（ＡＧＣａ〜ＡＧＣｃ）によって決まる。たとえば、ＡＧＣａが「利得制御値＞１」を指示し、且つ、ＡＧＣｂ及びＡＧＣｃが「利得制御値＝ゼロ」を指示していた場合は、小入力信号対応前置増幅部２５だけが増幅動作を許容される。この場合、ＲＦ信号は、動作が許容された小入力信号対応前置増幅部２５を用いて増幅される。
【００２６】
３個の前置増幅部２５〜２７のいずれかを用いて増幅されたＲＦ信号は、第一ＢＰＦ２８によって受信周波数帯に対応したフイルタリング処理が施された後、第一混合部２９において、第一局発部３０で作られた受信チャンネルに対応した周波数の第一局発信号と混合されることにより、第一中間周波数信号に変換される。
【００２７】
この第一中間周波数信号は、第二ＢＰＦ３１にて、第一中間周波数帯に対応した帯域フイルタリング処理が施された後、制御部２４から出力されるＡＧＣ制御信号（ＡＧＣｄ）に従って動作するＡＧＣ部３２で自動利得制御が行われる。
【００２８】
ＡＧＣ部３２の自動利得制御を受けた第一中間周波数信号は、第二混合部３３に加えられる。そして、この第二混合器３３において、第二局発部３４で作られた第二局発信号と混合され、ＬＰＦ３５を介して後段の復調処理に適した周波数の第二中間周波数信号に変換される。
【００２９】
＜制御部の構成＞
図４は、制御部２４のブロック図である。この図において、制御部２４は、Ａ／Ｄ変換部１３の出力信号を時間的に積分し積分信号Ｓｔを生成する信号積分部２４ａと、この積分信号Ｓｔと二つのしきい値（ＳＬａ、ＳＬｂ；図３参照）とを比較して、「Ｓｔ＜ＳＬａ」、「ＳＬａ＜Ｓｔ＜ＳＬｂ」、「ＳＬｂ＜Ｓｔ」のいずれの状態であるかを判定する比較回路２４ｂと、Ａ／Ｄ変換部１３の出力信号からガードインターバルを検出するガードインターバル検出部２４ｃと、比較回路２４ｂの比較結果に基づき、前記の３個の前置増幅部２５〜２７のいずれを増幅に用いるかを決定して、その決定結果を指示する制御信号（ＡＧＣａ〜ＡＧＣｃ）を発生すると共に、その制御信号を、上記のガードインターバル検出のタイミングに合わせて出力する制御信号発生部２４ｄとを有する。
【００３０】
＜ガードインターバル＞
図５（ａ）は、ＯＦＤＭ方式による送信信号のイメージ図である。横軸は時間であり、ＯＦＤＭ方式による送信信号は、シンボルと呼ばれる情報構成の単位で伝送される。このシンボルは、有効シンボルと、この有効シンボルの後ろの一部をそのままコピーしたガードインターバル（有効シンボルの１／４の長さ）とから構成されている。ガードインターバルは、マルチパス遅延波によるシンボル間干渉（Inter-Symbol Interference：ＩＳＩ）を除去する目的で送信側で挿入されたものであり、このガードインターバルは、シンボル伝送に関与しない“無信号期間”でもある。
【００３１】
図５（ｂ）は、ガードインターバルを利用して行われる前置増幅部２５〜２７の切り換えタイミング図である。この図に示すように、無信号期間でもあるガードインターバルで、前置増幅部２５〜２７の切り換えを行うようにすれば、仮に切り換えノイズ等が発生したとしても、直交復調部１４等の後段回路はその影響をまったく受けない。
【００３２】
＜切り換え動作の説明＞
図６は、以上説明した本実施形態の動作のうち、特に、３個の前置増幅部２５〜２７の切り換え制御動作（制御部２４における制御動作）をフローチャートの形で表した図である。このフローチャートでは、まず、Ａ／Ｄ変換部１３の出力信号のレベル判定（ステップＳ１１）を行うが、このレベル判定は、図３に示す二つのしきい値（ＳＬａ、ＳＬｂ）との比較で行う。ＳＬａは、特性線イと特性線ロとの交点に位置する入力信号レベルに対応し、ＳＬｂは、特性線ロと特性線ハとの交点に位置する入力信号レベルに対応する。なお、判定対象となるＡ／Ｄ変換部１３の出力信号は、第二中間周波数信号を所定のサンプリング周期でデジタル変換したものであり、サンプリング周期ごとのレベル変化が存在するため、実際には、Ａ／Ｄ変換部１３の出力信号を時間積分した信号（図４のＳｔ参照）を判定対象に用いる。
【００３３】
レベル判定の結果は、「ＳＬａ以下」、「ＳＬａ以上且つＳＬｂ以下」又は「ＳＬｂ以上」のいずれかになる。すなわち、「Ｓｔ＜ＳＬａ」、「ＳＬａ＜Ｓｔ＜ＳＬｂ」又は「ＳＬｂ＜Ｓｔ」のいずれかになる。
【００３４】
レベル判定の結果が「Ｓｔ＜ＳＬａ」の場合は、小入力信号対応前置増幅部２５を暫定的な使用候補として決定し（ステップＳ１２）、「ＳＬａ＜Ｓｔ＜ＳＬｂ」の場合は、中入力信号対応前置増幅部２６を暫定的な使用候補として決定し（ステップＳ１３）、「ＳＬｂ＜Ｓｔ」の場合は、大入力信号対応前置増幅部２７を暫定的な使用候補として決定する（ステップＳ１４）。
【００３５】
そして、今回決定された使用候補が前回使用の前置増幅部と同一であるか否かを判定し（ステップＳ１５）、同一の場合は、切り換えが不要であるため、再びステップＳ１１以降を実行するが、同一でない場合は、ガードインターバルになるまで待ってから（ステップＳ１６）、または、ガードインターバルであれば直ちに、所要の制御信号（ＡＧＣａ〜ＡＧＣｃ）を生成出力して前置増幅部の切り替えを実行する（ステップＳ１７）。
【００３６】
以上の切り換え動作を、図３を参照しながら説明する。いま、便宜的に、中入力信号対応前置増幅部２６を用いてＲＦ信号を増幅しているものとする。この場合、受信回路１２のＮＦは、特性線ロのＳＬａ〜ＳＬｂの範囲で与えられる。この範囲のＮＦは十二分に小さな値であるから、後段回路（直交復調部１４以降）は正常に動作している。
【００３７】
さて、入力信号レベルが増大してＳＬｂを超えた場合、図６の信号レベル判定（ステップＳ１１）の結果が「ＳＬｂ＜Ｓｔ」となり、これに伴って、ガードインターバルで、中入力信号対応前置増幅部２６から大入力信号対応前置増幅部２７への切り替えが行われる。この切り替えは、先にも説明したように、ＡＧＣｂを「利得制御値＝ゼロ」とすると共に、ＡＧＣｃを「利得制御値＞１」とすることにより行うことができる。
【００３８】
このように切り換えると、受信回路１２のＮＦは、特性線ロを外れて、その右隣の特性線ハのＳＬｂ以上の範囲で与えられる。この範囲のＮＦは、右肩立ち上がり部分を除いて十二分に小さな値であるから、上記と同様に、後段回路（直交復調部１４以降）は正常に動作する。
【００３９】
また、入力信号レベルが減少してＳＬａを下回った場合、図６の信号レベル判定（ステップＳ１１）の結果が「Ｓｔ＜ＳＬａ」となり、これに伴って、ガードインターバルで、大入力信号対応前置増幅部２６から小入力信号対応前置増幅部２５への切り替えが行われる。この切り替えも、先にも説明したように、ＡＧＣｃを「利得制御値＝ゼロ」とすると共に、ＡＧＣａを「利得制御値＞１」とすることにより行うことができる。
【００４０】
このように切り換えると、受信回路１２のＮＦは、特性線ハを外れて、左端の特性線イのＳＬａ以下の範囲で与えられる。この範囲のＮＦは、左肩立ち上がり部分を除いて十二分に小さな値であるから、上記と同様に、後段回路（直交復調部１４以降）は正常に動作する。
【００４１】
＜まとめ＞
以上本発明によれば、アンテナで受信した入力信号レベルに対応して最も低ＮＦ特性を発揮する一つの前置増幅部が、入力信号の増幅用として動作するようにした。例えば、３つの前置増幅部から構成され、第一の前置増幅部が、“小”入力信号レベルに対応して最も低ＮＦ特性を発揮するものであり、また、第二の前置増幅部が、“中”入力信号レベルに対応して最も低ＮＦ特性を発揮するものであり、さらに、第三の前置増幅部が、“大”入力信号レベルに対応して最も低ＮＦ特性を発揮するものであるとした場合、検出手段で“小”入力信号レベルが検出されたときには第一の前置増幅部が、また、検出手段で“中”入力信号レベルが検出されたときには第二の前置増幅部が、さらに、検出手段で“大”入力信号レベルが検出されたときには第三の前置増幅部が、それぞれ入力信号の増幅用として選択されて動作する。従って、いずれのときも、最も低ＮＦ特性を発揮する一つの前置増幅部を用いて入力信号の増幅が行われるので、“小〜中〜大”の広い信号レベルの全域にわたって良好な雑音指数（ＮＦ）が得られる。
【００４２】
つまり、本実施形態の受信回路１２における前置増幅部（前置増幅部２５〜２７）の見かけ上のＮＦ特性は、図３の合成特性線ニのようになる。したがって、前記の従来技術におけるＮＦ特性線（図７参照）と比べて見ると、低ＮＦ部分が拡大されているので、それゆえ、小信号レベルから大信号レベルまでの広い範囲にわたって良好な雑音指数が得られる受信回路を提供することができるのである。
【００４３】
＜他の態様＞
なお、以上の説明では、前置増幅部の数（ｎ）を３個としたが、一例に過ぎない。少なくとも２以上の個数であればよいが、ｎの数が多いほど、図３の合成特性線ニの凹凸を無くしてよりフラットにできるので、実際には要求性能やコストを勘案した適切な個数に設定すればよい。また、同様に、しきい値（ＳＬａ、ＳＬｂ）の数はｎ−１個であればよい。
【００４４】
また、以上の説明では、ｎ個の前置増幅部２５〜２７の切り替えを、それら前置増幅部２５〜２７に組み込まれたＡＧＣ部２５ｂ〜２７ｂへの制御信号（ＡＧＣａ〜ＡＧＣｃ）をコントロールして行っているが、この態様に限定されない。たとえば、ｎ個の前置増幅部２５〜２７の電源電圧を選択的にオンオフして切り替えてもよい。このようにした場合、不要な電源消費を抑制して、省電力化を図ることができるから好ましい。
【００４５】
または、ｎ個の前置増幅部２５〜２７の各出力信号を、ｎ入力１出力のＲＦスイッチに加え、このＲＦスイッチの接点を切り換えて行うようにしてｎ個の前置増幅部２５〜２７の切り替えを行うようにしてもよい。
【図面の簡単な説明】
【００４６】
【図１】本発明における地上波デジタル放送のテレビ受信機の概念的なブロック構成図である。
【図２】本発明における受信回路１２のブロック図である。
【図３】本発明における３個の前置増幅部２５〜２７の各々のＮＦ特性図である。
【図４】本発明におけるＡ／Ｄ変換部１３と制御部２４のブロック図である。
【図５】（ａ）は、本発明におけるＯＦＤＭ方式による送信信号のイメージ図である。（ｂ）は、本発明におけるガードインターバルを利用して行われる前置増幅部２５〜２７の切り換えタイミング図である。
【図６】本発明における３個の前置増幅部２５〜２７の切り換え制御動作（制御部２４における制御動作）をフローチャートの形で示す図である。
【図７】従来の受信回路１の構成図である。
【図８】従来の受信回路１のＮＦ特性例を示す図である。
【符号の説明】
【００４７】
１１  アンテナ
１２  受信回路
２４  制御部
２４ａ  信号積分部
２４ｄ  制御信号発生部
２５  前置増幅部
２６  前置増幅部
２７  前置増幅部
【図１】
2005142625.tif 000003
【図２】
2005142625.tif 000004
【図３】
2005142625.tif 000005
【図４】
2005142625.tif 000006
【図５】
2005142625.tif 000007
【図６】
2005142625.tif 000008
【図７】
2005142625.tif 000009
【図８】
2005142625.tif 000010